(57)【要約】【課題】種々の画像が印刷され且つ立体成形されたお面を備えたユニークな人形およびその製造装置を提供する。【解決手段】個人を写し出すモニタ画面３と、顔部分を照らすための照明装置４と、モニタ画面３を見ながらリモコン操作によって個人自身が好みの状態に写るように位置決めしてから写真を撮影するカメラ２と、延伸性フィルムシートＳをお面状に立体成形する立体成形器７と、個人により選択した写真をセットして前記立体成形した延伸性フィルムシートＳの内側に位置するインク受容層に前記写真をインクジェット印刷するプリンター６とを配備して成る製造販売カウンタ装置を有する。【選択図】図３
0003130130.tif 000002
【実用新案登録請求の範囲】
【請求項１】
お面状に立体成形し、裏面に個人の写真をインクジェット印刷した延伸性フィルムシートを人形本体の顔面に装着して成ることを特徴とする人形。
【請求項２】
延伸性フィルムシートは、透明性を有し、且つ親水性樹脂を含むインク受容層を有し、該インク受容層における親水性樹脂が架橋構造を形成して成るインクジェット記録材料を使用し、お面状に立体成形した延伸性フィルムシートの裏面に前記インク受容層が位置するものとした請求項１記載の人形。
【請求項３】
個人を写し出すモニタ画面と、顔部分を照らすための照明装置と、モニタ画面を見ながらリモコン操作によって個人自身が好みの状態に写るように位置決めしてから写真を撮影するカメラと、延伸性フィルムシートをお面状に立体成形する立体成形器と、個人により選択された写真をセットして前記立体成形された延伸性フィルムシートの内側に位置するインク受容層に前記写真をインクジェット印刷するプリンターとを配備させて成る製造販売カウンタ装置を有することを特徴とする人形製造装置。
【請求項４】
立体成形器は、延伸性フィルムシートを、複数の通気用微細孔が形成されて成る石膏もしくはゴム製の原型に被せて、立体成形器で上方より加熱しながら下方から前記微細孔を介してバキュームを行うことで前記延伸性フィルムシートを原型に密着収縮させ、温度を低下させて硬化した状態としてお面を作製する請求項３記載の人形製造装置。
【考案の詳細な説明】
【技術分野】
【０００１】
本考案は、例えば成形品プラスチックによるフィギュア等の例えば空白状態の顔部分に個人の写真等の変換可能な種々の画像によるお面を付設可能にした顔面変換型の人形およびその製造装置に関する。
【背景技術】
【０００２】
近年、マスコット人形の顔部分に、例えばインクジェットで印刷した既設の企画デザインによる顔フィルムを使ったお面を直接貼り付けて成る実体のある人形形態を備え、お面自体の脱着交換が可能となるようにした顔面変換型立体人形が提案されている。
【０００３】
これは、例えば携帯電話機、パソコン、ＩＰ電話機、ＤＳ、ＰＳＰ等の種々の通信機器やインターネット機器に取り込んだ種々の変換可能な画像データを出力させて、これを立体人形の顔部分に対し脱着交換可能に取り付けることのできる新規なる技術である。
【特許文献１】特になし
【考案の開示】
【考案が解決しようとする課題】
【０００４】
しかしながら、従来におけるこのようなお面を形成するためには、高価な成形用金型を使った熱圧着によるプレス加工技術が要求されるため、作製コストが掛かり、且つ成形に要する時間もかなり掛かってしまう。しかも、店頭販売での簡単な操作でもって、個人の写真によるお面を自由自在に作製し、これを個人の選択した好みの人形の顔部分に装着するという一連の作業工程に基づく人形製造装置が未だ存在していないのが実状である。
【０００５】
また、従来においては、写真をプリントするにはレーザープリンター等を使用しているが、このレーザープリンターは、約１００℃程度の熱転写ローラによってトナーを熱転写シートに固着させるため、通常のプリント用紙では熱で軟化して縮んでしまう等という欠点がある。
【０００６】
そこで、本考案は、叙上のような従来存した諸事情に鑑み創案されたもので、種々の画像が印刷され且つ立体成形されたお面を備えたユニークな人形を提供すると共に、低コストで且つ短時間に種々の画像によるお面を作製することができ、しかも何人でも簡単な操作でもって、立体的なお面を自由自在に作製し、これを個人の選択した好みの人形に装着するという一連の作業工程を可能にする人形の製造装置を提供することを目的とする。
【課題を解決するための手段】
【０００７】
上述した課題を解決するため、本考案に係る人形にあっては、お面状に立体成形し、裏面に個人の写真をインクジェット印刷した延伸性フィルムシートを人形本体の顔面に装着して成ることを特徴とする。
【０００８】
延伸性フィルムシートは、透明性を有し、且つ親水性樹脂を含むインク受容層を有し、該インク受容層における親水性樹脂が架橋構造を形成して成るインクジェット記録材料を使用し、お面状に立体成形した延伸性フィルムシートの裏面に前記インク受容層が位置するよう形成されている。
【０００９】
また、本考案に係る人形製造装置は、個人を写し出すモニタ画面と、顔部分を照らすための照明装置と、モニタ画面を見ながらリモコン操作によって個人自身が好みの状態に写るように位置決めしてから写真を撮影するカメラと、延伸性フィルムシートをお面状に立体成形する立体成形器と、個人により選択された写真をセットして前記立体成形された延伸性フィルムシートの内側に位置するインク受容層に前記写真をインクジェット印刷するプリンターとを配備させて成る製造販売カウンタ装置を有することを特徴とする。
【００１０】
立体成形器は、延伸性フィルムシートを、複数の通気用微細孔が形成されて成る石膏もしくはゴム製の原型に被せて、立体成形器で上方より加熱しながら下方から前記微細孔を介してバキュームを行うことで前記延伸性フィルムシートを原型に密着収縮させ、温度を低下させて硬化した状態としてお面を作製するものである。
【考案の効果】
【００１１】
本考案によれば、種々の画像が印刷され且つ立体成形されたお面を備えたユニークな人形を提供することができる。
【００１２】
また、本考案に係る人形製造装置によれば、低コストで且つ短時間に種々の画像によるお面を作製することができ、しかも何人でも簡単な操作でもって、立体的なお面を自由自在に作製し、これを個人の選択した好みの人形に装着するという一連の作業工程を可能にする。
【考案を実施するための最良の形態】
【００１３】
以下、図面を参照して本考案を実施するための最良の一形態を説明する。
本考案に係る人形製造装置は、顧客（個人）と店員（作業員）との間で、一連の作業によって行うための簡易ボックスストアタイプの製造販売カウンタ装置１によって構成されている。
【００１４】
すなわち、この製造販売カウンタ装置１は、図１乃至図３に示すように、表側に例えば熊等のぬいぐるみ形態の頭部、口部、腹部それぞれの部分に、顧客の写真を撮るカメラ２、該カメラ２の撮影レンズを通して顧客の顔を写し出すモニタ画面３、顧客の顔部分を照らすための照明装置４がそれぞれ備え付けられている。
【００１５】
また、図２および図３に示すように、製造販売カウンタ装置１の裏側には、店員（作業員）が作業するためのパソコン５、延伸性フィルムシートＳを立体成形してお面を作製するための立体成形器７、そしてカメラ２によって撮影した写真を、立体成形された延伸性フィルムシートＳによるお面の内側にインクジェット印刷するためのプリンター６等を配備させている。
【００１６】
写真の撮影に際し、顧客（個人）が製造販売カウンタ装置１のモニタ画面３の前に立ち、その顧客自身がモニタ画面３を見ながらリモコン操作によって、例えば個人自身の顔やペットの顔、あるいはペット等を抱いている姿等の好みの状態に写るように位置決めし、店員（作業者）がモニタ画面３近傍に配されている撮影用のカメラ２で数枚の写真を撮影する。尚、撮影用のカメラ２は、個人自身によって撮影操作できるようにしても良い。
【００１７】
また、立体成形器７は、吸気機構を内蔵した筐体状のバキューム部と、延伸性フィルムシートＳを挟持させる成形部と、該成形部の延伸性フィルムシートＳを加熱させるヒーター部とから概ね構成され、延伸性フィルムシートＳを、複数の通気用微細孔が形成されて成る石膏もしくはゴム製の原型に被せて、上方より加熱しながら下方から前記微細孔を介してバキュームを行うことで前記延伸性フィルムシートＳを原型に密着収縮させ、温度を低下させて硬化した状態として立体的なお面を作製するものである。
【００１８】
バキューム部は、電気的に始動する吸気機構を内蔵した筐体の上面に複数の吸気用孔部を有する円形突出面状の載置台を配しており、この載置台の中央には、例えば石膏もしくはゴム製の原型が載せられる。この原型は、例えば鼻突出部分や頬・目・口の窪み部分等のように表面が立体的な凹凸状の顔面形態となるように加工形成され、さらに表面から裏面にかけては、複数の通気用微細孔が形成されている。
【００１９】
成形部は、延伸性フィルムシートＳを挟持可能とする矩形板状の上押さえ部および下押さえ部が昇降自在となるように形成され、前記バキューム部の載置台の円形形状に対応して、それぞれの中央には、円形の開口部が形成されている。すなわち、成形部は、バキューム部の背面側から上方へ向けて突出した左右一対のガイド軸に、矩形ブロック状の可動ベースを介して下押さえ部が昇降自在となるように装着されている。この下押さえ部側面の後方側左右対称位置には、棒状をした手持用のハンドルが付設されている。したがって、開口部によって露出している延伸性フィルムシートＳは、載置台上の原型から離反した位置と当該原型に被さる位置との間を自由に昇降できるものとなる。
【００２０】
ヒーター部は、矩形枠内に蛇行状となったヒーターが配され、左右一対の前記ガイド軸の上端に固定された固定ベースを介して取り付けられ、成形部における下押さえ部および上押さえ部それぞれの開口部により露出している延伸性フィルムシートＳを原型に被さる位置で上面全体を加熱するものである。
【００２１】
尚、上述したバキュームタイプの立体成形器７は、本考案におけるお面作製工程Ａにおけるほんの一例に過ぎず、他の構成による立体成形器７を使用しても良いことは勿論である。
【００２２】
また、写真の印刷に際し、顧客により選択された１枚の写真を、店員（作業者）が後述する製造販売カウンタ装置１の、例えば周知の圧力パルス方式や荷電制御方式等によるインクジェット記録方式を採用したプリンター６にセットし、写真のカラートナー画像を、立体成形された延伸性フィルムシートＳによるお面の内側に位置するインク受容層にインクジェット印刷する。
【００２３】
そして、店員（作業者）が、立体成形され且つ印刷された延伸性フィルムシートＳによるお面の周囲の不要部分をカットし、該お面を、図５に示すように、顧客により選択された好みの人形本体Ｐの空白状態にある顔部分に装着する。
【００２４】
延伸性フィルムシートＳとしては、透明性を有すると共に親水性樹脂を含むインク受容層を有し、該インク受容層における親水性樹脂が架橋構造を形成して成るインク吸収性と耐熱性に優れたインクジェット記録材料を使用する。この材料を使用し、且つインクジェットによるプリンター６を使用すれば、立体物の内側からのインク吸収性と耐熱性に優れたインクジェット印刷が可能となる。
【００２５】
この架橋構造は、例えば、特開２００６−５６０９９号公報に開示されているように、例えば、二軸延伸ポリエステル、アクリル系樹脂、ポリ塩化ビニル、ポリカーボネートから選択される樹脂を含む基材層上に、水素引き抜き型光ラジカル重合開始剤を０．０１〜１０質量％添加した（親水性樹脂の質量を基準（１００質量％）としている）親水性樹脂からなるインク受容層を形成して、前記インク受容層に紫外線を照射することによって形成される。
【００２６】
すなわち、インク受容層は、架橋構造を形成している親水性樹脂を含む樹脂であり、この親水性樹脂は、インク受容層全体の質量を基準として（１００質量％）、４５質量％以上、好ましくは５０質量％以上、さらに好ましくは、７０質量％以上含まれている。そして、インク受容層に使用される親水性樹脂としては、例えば、ポリビニルアルコール、ポリビニルピロリドン、カルボキシメチルセルロース、ポリアルキレンオキシド、あるいはそれらの混合物等が挙げられる。中でも、インク吸収性に優れ、生産性に優れた押出し法等の乾式の方法でフィルム化できる親水性樹脂として、ポリエチレンオキシドが適しており、繰り返し単位から構成されるポリエチレンオキシド系の親水性樹脂を主たる樹脂として用いることが好ましいものとされている。
【００２７】
このインク受容層の架橋構造は、親水性樹脂に水素引き抜き型光ラジカル重合開始剤を添加することによって形成される。この水素引き抜き型光ラジカル重合開始剤は、他の分子から水素を引き抜く形でラジカルを生成する光重合開始剤であり、好ましい水素引き抜き型光ラジカル重合開始剤としては、ベンジル、ｏ−ベンゾイル安息香酸メチル、２、４、６−トリメチルベンゾフェノン、４−メチルベンゾフェノン、アクリル化ベンゾフェノン、チオキサンソン、３−ケトクマリン、２−エチルアンスラキノン、カンファーキノン、ミヒラーケトン、テトラ（ｔ−ブチルパーオキシカルボニル）ベンゾフェノンなどのベンゾフェノン誘導体の中から選ばれる１種あるいは２種以上の混合物や、解裂タイプ光重合開始剤との混合物等が使用される。特に好ましい水素引き抜き型光ラジカル重合開始剤としては、透明性、硬化性の点からベンゾフェノン系の化合物が用いられる。
【００２８】
次に、以上のように構成された最良の形態についての使用の一例について図４を参照して説明する。
先ず、ステップ１で、製造販売カウンタ装置１へ顧客が来店した時に、「いらっしゃいませ。プリ面ぐるみ劇場へようこそ。」というコメントを出す。
【００２９】
そして、ステップ２でプリンター６における不図示の熱転写ローラの電源を入れる。このとき、熱転写ローラの設定温度を１２０℃にする。
【００３０】
次に、ステップ３で写真撮影を例えば３回行う。このとき、製造販売カウンタ装置１から「先ず、写真をお撮りしますのでこちらへどうぞ。３枚撮りまして、気に入った１枚でつくりますね。」というコメントを出す。これと同時に顧客のお名前を聞く。
【００３１】
ステップ４で再生モードに切り替えて、製造販売カウンタ装置１から「それでは、今から某様の為にお面をお作りいたします」というコメントを出す。
【００３２】
ステップ５で店員は、顧客に対し写真３枚の内、好みの１枚を選択させる。
【００３３】
ステップ６で立体成形器７のヒーター部の電源を入れる。
【００３４】
ステップ７で立体成形器７に延伸性フィルムシートＳであるプリメイクシートをセットする。このとき、セット前に原型の位置を確認する。
【００３５】
ステップ８でヒーター部を約３０秒だけ加熱スタートする。
【００３６】
ステップ９でバキューム部のスイッチを入れて、ハンドルを約３秒間だけ下げる。
【００３７】
ステップ１０でバキューム部のスイッチを切る。
【００３８】
ステップ１１でプリンター６の電源ボタンを押す。
【００３９】
ステップ１２で立体成形後のプリメイクシートを取り出し、プリンター６にセットする。
【００４０】
このとき、ステップ１３でプリメイクシートを、裏表を確認しながらプリンター６の不図示のインクジェット記録部へ送る。
【００４１】
ステップ１４でプリンター６の電源を切る。
【００４２】
ステップ１５でプリメイクシートの表面保護のための表面シールを剥がす。
【００４３】
ステップ１６でお面周囲の不要部分をハサミ等でカットする。このとき、製造販売カウンタ装置１から「チョキ、チョキ、チョキ」という音を出して、顧客にカットしている状況を知らせる。
【００４４】
ステップ１７で顧客により好みの人形本体Ｐを選択してもらい、この空白状態にある顔部分にお面を装着する（図５参照）。しかる後、製造販売カウンタ装置１から「はい、お待たせしました。どうもありがとうございました。」というコメントを出し、顧客は代金の支払いと引き替えに、完成した人形本体Ｐを入手する。
【図面の簡単な説明】
【００４５】
【図１】本考案を実施するための最良の形態における人形製造装置の正面図である。
【図２】同じく人形製造装置の背面図である。
【図３】同じく人形製造装置の側面図である。
【図４】具体的な人形製造工程の概略を示すフローチャート図である。
【図５】立体成形され且つ印刷された延伸性フィルムシートによるお面の使用例を示す斜視図である。
【符号の説明】
【００４６】
Ｓ  延伸性フィルムシート
Ｐ  人形本体
１  製造販売カウンタ装置
２  カメラ
３  モニタ画面
４  照明装置
５  パソコン
６  プリンター
７  立体成形器
【図１】
0003130130.tif 000003
【図２】
0003130130.tif 000004
【図３】
0003130130.tif 000005
【図４】
0003130130.tif 000006
【図５】
0003130130.tif 000007